(57)【要約】【課題】肌面に対し任意方向に移動させて施術可能とする美容装置を提供する。【解決手段】グリップケース１に支持され、先端部で施術部を施術する弾性振動板２と、グリップケース１内に収容され、弾性振動板２を超音波振動させる超音波振動子４とを備えた美容装置において、弾性振動板２を円筒状とした。【選択図】図１
2012065892.tif 000002
【特許請求の範囲】
【請求項１】
グリップケースに支持され、先端部で施術部を施術する弾性振動板と、
前記グリップケース内に収容され、前記弾性振動板を超音波振動させる超音波振動子と
を備えた美容装置において、
前記弾性振動板を円筒状としたことを特徴とする美容装置。
【請求項２】
請求項１に記載の美容装置において、
前記弾性振動板の基端面に、前記弾性振動板と同一径でリング状に形成した超音波振動子を取着したことを特徴とする美容装置。
【請求項３】
請求項１又は２に記載の美容装置において、
前記弾性振動板は、複数の振動板ピースを組み合わせて円筒状としたことを特徴とする美容装置。
【請求項４】
請求項３に記載の美容装置において、
前記各振動板ピースにそれぞれ超音波振動子を取着したことを特徴とする美容装置。
【請求項５】
請求項３又は４に記載の美容装置において、
前記弾性振動板の基端部から先端部に向かって、各振動板ピース間の隙間を増大させたことを特徴とする美容装置。
【発明の詳細な説明】
【技術分野】
【０００１】
この発明は、超音波振動する振動板で肌面を擦ることにより、肌面の汚れを除去する美容装置に関するものである。
【背景技術】
【０００２】
従来、超音波で振動する振動板を肌面に押し当てて、肌面に付着している角質、皮脂や化粧残りを除去するようにした美容装置が提案されている。このような美容装置は、特許文献１に開示されるように、超音波振動子の振動により弾性振動板が厚さ方向に振動し、その振動に基づいて肌面の汚れを除去するようになっている。
【先行技術文献】
【特許文献】
【０００３】
【特許文献１】特開平０６−３２８０４２
【発明の概要】
【発明が解決しようとする課題】
【０００４】
上記のような美容装置では、板状の弾性振動板を肌面に押し当てて汚れを除去する構成であるため、肌面に対し弾性振動板を移動させる方向が弾性振動板の厚さ方向に限定される。従って、肌面への施術方向を変える場合には、弾性振動板の向きを変え、あるいはそのために美容装置を持ち変える等の操作が必要となり、その操作が煩雑となるという問題点がある。
【０００５】
この発明の目的は、肌面に対し任意方向に移動させて施術可能とする美容装置を提供することにある。
【課題を解決するための手段】
【０００６】
上記課題を解決するために、本発明の美容装置は、グリップケースに支持され、先端部で施術部を施術する弾性振動板と、グリップケース内に収容され、前記弾性振動板を超音波振動させる超音波振動を備えた美容装置において、弾性振動板を円筒状としたことを特徴とする。
【０００７】
また、上記構成において弾性振動板の基端面に、弾性振動板と同一径でリング状に形成した超音波振動子を取着することが好ましい。
また、上記構成において、弾性振動板は、複数の振動板ピースを組み合わせて円筒状とすることが好ましい。
【０００８】
また、上記構成において、各振動板ピースにそれぞれ超音波振動子を取着することが好ましい。
また、上記構成において、弾性振動板の基端部から先端部に向かって、各振動板ピース間の隙間を増大させることが好ましい。
【発明の効果】
【０００９】
本発明によれば、肌面に対し任意方向に移動させて施術可能とする美容装置を提供することができる。
【図面の簡単な説明】
【００１０】
【図１】第一の実施形態を示す平面図である。
【図２】第一の実施形態の弾性振動板を示す側面図である。
【図３】第一の実施形態の弾性振動板及び超音波振動子を示す斜視図である。
【図４】第二の実施形態を示す平面図である。
【図５】第二の実施形態を示す側面図である。
【図６】第三の実施形態を示す平面図である。
【図７】第三の実施形態の弾性振動板を示す側面面である。
【図８】第四の実施形態を示す斜視図である。
【図９】第四の実施形態を示す斜視図である。
【図１０】第四の実施形態を示す斜視図である。
【発明を実施するための形態】
【００１１】
（第一の実施形態）
以下、この発明を具体化した第一の実施形態を図面に従って説明する。図１に示す美容装置は、筒状に形成されたグリップケース１にステンレス等の金属で円筒状に形成された弾性振動板２が支持され、その弾性振動板２の先端部はグリップケース１の先端から突出されている。
【００１２】
前記弾性振動板２は、図２に示すように、円筒を周方向に４等分した振動板ピース３ａ〜３ｄを円筒状に組み合わせて形成される。この弾性振動板２は、例えば長さが約６ｃｍ、直径が約２ｃｍ、各振動板ピース３ａ〜３ｄの厚さが約１ｍｍで形成される。
【００１３】
前記グリップケース１内には、前記弾性振動板２の基端面に接するリング状の超音波振動子４が配設されている。この超音波振動子４は、前記弾性振動板２と同一径で形成され、接着剤や銀ろう付けで弾性振動板２に接着されている。
【００１４】
前記グリップケース１の基端部には、前記超音波振動子４の動作を制御する制御部５と、その制御部５に電源を供給する電源部６が配設されている。電源部６は、充電式バッテリー、乾電池あるいは商用電源の供給に基づいて所要の電圧を生成する電源回路のいずれでもよい。
【００１５】
そして、制御部５の制御に基づいて超音波振動子４が振動して、弾性振動板２が厚み方向にすなわち図３に示す矢印方向に１０kHz〜１００kHzの振動周波数で振動するようになっている。このとき、弾性振動板２は先端に向かって振動振幅が増大するようになっている。
【００１６】
このように構成された美容装置では、超音波振動子４で弾性振動板２を振動させた状態で、弾性振動板２の先端部で肌面（施術部）を擦るように施術すると、肌面に付着している角質や化粧汚れあるいは毛穴の角栓が除去される。
【００１７】
上記のように構成された美容装置では、次に示す作用効果を得ることができる。
（１）超音波振動する弾性振動板２で肌面を擦ることにより、肌面の汚れを充分に落とすことができる。
（２）肌面を施術する弾性振動板２の先端部はリング状であるので、弾性振動板２を肌面に沿っていずれの方向に移動させても、同様な施術効果を得ることができる。従って、肌面に対する施術を容易に行うことができる。
（３）超音波振動子４が弾性振動板２と同一径のリング状に形成されているので、円筒状の弾性振動板２を効率よく振動させることができるとともに、グリップケース１内で小さなスペースで収容することができる。
（４）４枚の振動板ピース３ａ〜３ｄで円筒状の弾性振動板２を容易に形成することができる。
（第二の実施形態）
図４及び図５は、第二の実施形態を示す。この実施形態は、円筒状の弾性振動板を振動させる超音波振動子の構成を、前記第一の実施形態とは異なる構成としたものである。第一の実施形態と同一構成部分は、同一符号を付して詳細な説明を省略する。
【００１８】
円筒状の弾性振動板２の基端部には、各振動板ピース３ａ〜３ｄの外周面にそれぞれ超音波振動子７ａ〜７ｄが取着されている。各超音波振動子７ａ〜７ｄは、円板状に形成されるとともに、各振動板ピース３ａ〜３ｄの外周面に沿って湾曲するように形成されている。そして、制御部５により各超音波振動子７ａ〜７ｄが振動し、その振動に基づいて書く振動板ピース３ａ〜３ｄが振動するようになっている。
【００１９】
このような構成により、各超音波振動子７ａ〜７ｄで弾性振動板２を振動させることができるので、第一の実施形態で得られた（１）（２）（４）の作用効果と同様な作用効果を得ることができる。
（第三の実施形態）
図６及び図７は、第三の実施形態を示す。この実施形態は、前記第二の実施形態の超音波振動子７ａ〜７ｄを長板状の超音波振動子８ａ〜８ｄに置換したものである。
【００２０】
このような構成により、第二の実施形態と同様な作用効果を得ることができる。
（第四の実施形態）
図８〜図１０は、第四の実施形態を示す。この実施形態は、第一〜第三の実施形態の弾性振動板２の別例を示す。
【００２１】
図８に示すように、振動板ピース３ａ〜３ｄを円筒状に組み合わせて弾性振動板２を形成し、その弾性振動板２の基端部にリング状の振動板固定部９を嵌合する。すると、図９に示すように、弾性振動板２の基端部が振動板固定部９で保持される。
【００２２】
また、図１０に示すように、弾性振動板２の基端部から先端部に向かって、各振動板ピース３ａ〜３ｄ間の隙間１０を増大させるようにすると、弾性振動板２の先端部の振動を阻害することはない。例えば、隙間１０の最大値は弾性振動板２の振動振幅の少なくとも２倍の間隔を確保するようにする。
【００２３】
このような構成により、振動板ピース３ａ〜３ｄで弾性振動板２を構成することができるとともに、各振動板ピース３ａ〜３ｄを互いに干渉することなく振動させることができる。
【００２４】
上記実施形態は、以下の態様で実施してもよい。
・円筒状の弾性振動板２を２つ以上の振動板ピースで形成してもよい。
・第四の実施形態の弾性振動板を第一〜第三の実施形態に実施してもよい。
【符号の説明】
【００２５】
１…グリップケース、２…弾性振動板、３ａ〜３ｄ…振動板ピース、４，７ａ〜７ｄ，８ａ〜８ｄ…超音波振動子、１０…隙間。
【図１】
2012065892.tif 000003
【図２】
2012065892.tif 000004
【図３】
2012065892.tif 000005
【図４】
2012065892.tif 000006
【図５】
2012065892.tif 000007
【図６】
2012065892.tif 000008
【図７】
2012065892.tif 000009
【図８】
2012065892.tif 000010
【図９】
2012065892.tif 000011
【図１０】
2012065892.tif 000012